(57)【要約】【課題】  携帯電話において、付加装置としての対応機能を有するヘッドセット装置にチューナー機能を付加して多機能化を図る。【解決手段】  ヘッドセット装置１は、ブルートゥース送受信部１６とスピーカ１２とマイクロホン１３と液晶表示器５とに加えて、無線送受信モードとチューナーモードに切り替える為のチューナー回路部１７と切替部１８とアンテナコード巻き取り機構９によって出入り自在なアンテナコード８と落下防止のクリップ１４とを備える。【選択図】  図１
2006086746.tif 000002
【特許請求の範囲】
【請求項１】
筐体に、近距離無線方式の無線送受信部と、スピーカと、マイクロホンと、液晶表示器とが設けられ、前記筐体に設けた保持部を介して使用者の頭部に装着して無線方式により外部機器との間で信号の授受を行うヘッドセット装置において、
受信した放送電波に所定のチューナー処理を行って前記スピーカ或いは前記液晶表示器から放送番組の出力が行われるようにするチューナー回路部と、前記スピーカ及び前記液晶表示器が前記無線送受信部と接続される無線送受信モードと前記チューナー回路部と接続されるチューナーモードとに切り替える切替部と、前記放送電波を受信するアンテナコードを筐体内に巻き込むとともに筐体から引き出すようにするアンテナコード巻き取り機構とが設けられ、
前記チューナーモード機能の切り替え状態で、前記アンテナコード巻き取り機構により前記アンテナコードを前記筐体内から引き出して放送受信を行うようにすることを特徴とするヘッドセット装置。
【請求項２】
前記アンテナコードの先端部にクリップが設けられていることを特徴とする請求項１に記載のヘッドセット装置。
【請求項３】
前記無線送受信部が、前記外部機器から送信された信号を受信すると前記スピーカ或いは前記液晶表示器において着信報知が行われることを特徴とする請求項１又は請求項２に記載のヘッドセット装置。
【請求項４】
前記切替部が、前記無線送受信部から前記外部機器から送信された信号の受信に基づいて出力された前記受信検出信号に基づいて、前記チューナーモードから前記無線送受信モードへの切替操作を行うことを特徴とする請求項３に記載のヘッドセット装置。
【発明の詳細な説明】
【技術分野】
【０００１】
本発明は、携帯電話機等の外部機器と無線接続されて信号の授受が行われ、例えば使用者が頭部に装着して使用することによりハンズフリー通話を可能とするヘッドセット装置に関する。
【背景技術】
【０００２】
携帯電話機には、無線送受信部とスピーカとマイクロホンとを有して使用者の頭部に装着して用いられるヘッドセット装置を付帯装置として、無線方式により電話機本体と接続することを可能とする仕様を有するものが提供されている。携帯電話機は、かかるヘッドセット装置を用いることによって電話機本体を把持することなく通話が可能とされるいわゆるハンズフリー機能が付加され、使い勝手の向上が図られるようになる。
【０００３】
携帯電話機は、一般にヘッドセット装置をブルートゥース（Bluetooth）無線方式により接続する。ブルートゥース無線方式は、２．４ＧＨｚ周波数帯域の搬送電波を用いて、１０Ｍ程度の近距離間に設置された携帯電話機やパーソナルコンピュータ或いはデジタル機器間で相互認識の基に信号授受を行うことを可能とする。ブルートゥース無線方式は、対応機能のモジュールが比較的廉価で汎用性が大きく、また小型軽量で低消費電力化も図られていることからモバイル機器への搭載が図られている。ブルートゥースモジュールを備えたヘッドセット装置としては、例えば特許文献１に提案されている。
【特許文献１】特開２００４−１２０３１３号公報
【発明の開示】
【発明が解決しようとする課題】
【０００４】
ところで、携帯電話機においては、多機能化、複合機能化が図られており、大型液晶画面や大容量のメモリ或いは情報コネクタ等を備えることによって単なる通話装置として位置付けされるばかりでなく、いわゆる情報端末機器としての比重も大きくなっている。携帯電話機は、例えばインターネット網や音楽配信サービス網と接続して種々の情報やコンテンツを入手してスピーカや液晶画面に出力が行われるようにする。
【０００５】
また、携帯電話機においては、例えばＦＭ（Frequency Modulation）放送を受信してスピーカから出力されるようにして番組放送を聴取するといった使用態様も考慮される。さらに、携帯電話機においては、２００５年末に放送の開始が予定されている地上波デジタル放送方式による放送番組を受信して液晶表示画面に表示するとともにスピーカから出力する機能の検討も行われている。
【０００６】
携帯電話機においては、かかる新機能が搭載される場合にハンズフリー化が必須となることから、付加装置としてその対応機能を有するヘッドセット装置の要求も大きくなることが考慮される。携帯電話機においては、小型軽量化や低消費電力化の対応が限界に近づいており、上述した様々な新機能を搭載して現状仕様を保持することが極めて困難となっている。
【０００７】
したがって、本発明は、もっぱら通話用の付加装置として用いられていたヘッドセット装置にチューナー機能を付加することによって本体機器側の負担を軽減して放送番組の視聴を可能とするヘッドセット装置を提供することを目的に提案されたものである。
【課題を解決するための手段】
【０００８】
上述した目的を達成する本発明にかかるヘッドセット装置は、無線送受信部とスピーカ
とマイクロホンと液晶表示器とを備える筐体に設けた保持部を介して使用者の頭部に装着して無線方式により外部機器との間で信号の授受を行う。ヘッドセット装置は、放送電波を受信して所定のチューナー処理を行ってスピーカ或いは液晶表示器に出力するチューナー回路部と、スピーカ及び液晶表示器が無線送受信部と接続される無線送受信モードとチューナー回路部と接続されるチューナーモードとに切り替える切替部と、アンテナコードを筐体内に巻き込むとともに筐体から引き出すようにするアンテナコード巻き取り機構とが設けられる。
【０００９】
ヘッドセット装置は、切替部によって無線送受信モードの設定が行われている状態で、無線方式により接続された外部機器との間で信号の授受が行われるようにする。ヘッドセット装置は、例えば携帯電話機とブルートゥース無線方式により無線接続されて用いられる場合に、アンテナコードが邪魔にならないようにアンテナコード巻き取り機構によって筐体内に巻き込んだ状態にしてハンズフリー通話が行われるようにする。ヘッドセット装置は、切替部により無線送受信モードの設定状態からチューナーモードの設定状態への切り替えが行われるとともにアンテナコード巻き取り機構により筐体内からアンテナコードが引き出され、例えばＦＭ放送を良好な状態で受信する。
【００１０】
ヘッドセット装置には、アンテナコードの先端部にクリップが設けられており、使用者がアンテナコードを筐体から引き出した状態でクリップを衣服のポケット等に挟む操作が行われる。ヘッドセット装置においては、筐体から引き出されて使用者の身体に沿って這わされるアンテナコードが、頭部に装着された筐体とポケットに挟まれたクリップとによって安定した状態に保持される。ヘッドセット装置においては、頭部に装着して使用するにもかかわらず、充分な長さを有するアンテナコードを介してＦＭ放送を良好かつ安定な状態で受信する。
【００１１】
ヘッドセット装置は、無線送受信部が、外部機器からの送信信号を受信するとスピーカ及び液晶表示器とに対して受信検出信号を出力する。ヘッドセット装置は、受信検出信号に基づいてスピーカからの音声による着信報知、或いは液晶表示器の表示画面による着信報知が行われるようにする。ヘッドセット装置においては、スピーカと液晶表示器とを利用して外部機器から送信される信号の着信報知を行うことから、小型化を保持して確実な応答が行われるようにする。
【００１２】
ヘッドセット装置においては、電話機本体において着信を検出すると検出信号が無線送受信部へとブルートゥース無線方式によって送信され、無線送受信部においてこの検出信号を受信して着信検出が行われる。ヘッドセット装置においては、無線送受信部から切替部に対して受信検出信号が出力され、切替部からの制御信号によってチューナーモードから無線送受信モードへの切替操作が行われる。ヘッドセット装置においては、ＦＭ放送を視聴している状態でも外部機器から信号送信があった場合に、即座に応答が行われるようにする。
【発明の効果】
【００１３】
以上のように構成された本発明にかかるヘッドセット装置によれば、無線送受信部とスピーカとマイクロホンと液晶表示器とに加えてチューナー部と切替部とアンテナコード巻き取り機構とを備えることによって、無線方式による外部機器との間での信号授受とともに放送番組の受信も可能となり、多機能化が図られる。本発明にかかるヘッドセット装置によれば、大型化が抑制されるとともに外部機器の大型化も抑制して多機能化を図ったシステムを構成することが可能となる。
【発明を実施するための最良の形態】
【００１４】
以下、本発明の実施の形態について図面を参照して詳細に説明する。実施の形態として
示したヘッドセット装置１は、詳細を後述するようにブルートゥース無線方式の端末機能と、ＦＭ放送の受信機能とを備えている。ヘッドセット装置１は、図１に示すように使用者Ｍの耳殻に装着して用いられ、携帯電話機２とブルートゥース無線方式によって無線接続されることにより音声信号やデータ信号の授受が行われるようにする。ヘッドセット装置１は、携帯電話機１を中継装置とするとともに携帯電話機２を把持することなく接続先との通信を行うことを可能とすることで、ハンズフリー機能を奏する。
【００１５】
ヘッドセット装置１は、図２及び図３に示すように、合成樹脂材によって全体が略卵形に形成された筐体３を有し、この筐体３の頂点部位に一端部を固定された耳掛け部４が組み付けられている。ヘッドセット装置１は、耳掛け部４が弾性変形自在な弧状のアーム体によって構成されており、筐体３を耳穴にあてがった状態で耳掛け部４を筐体３の側方に拡げて耳殻への装着操作が行われる。ヘッドセット装置１は、筐体３と耳掛け部４とが耳殻を挟み込むことで、筐体３が耳穴にあてがわれた状態で保持される。
【００１６】
ヘッドセット装置１には、耳殻に装着した状態で外側となる図２に示す筐体３の第１主面３ａに、液晶表示器５と複数個の押しボタンが配列された操作部６とが並んで設けられている。ヘッドセット装置１においては、後述する携帯電話機２との接続が行われて信号の授受が行われる無線送受信モード（ブルートゥースモード）の設定状態において、例えば液晶表示器５によって信号の授受の状態が表示されるようにする。ヘッドセット装置１においては、後述するＦＭ放送を受信して放送番組を聴取するチューナーモードの設定状態において、例えば液晶表示器５によって受信チャンネルやボリューム状態等が表示されるようにする。
【００１７】
ヘッドセット装置１は、操作部６の各押しボタンを操作することにより、例えばオンオフ操作、ブルートゥースモードとチューナーモードとの切替操作、チャンネル切替操作或いはボリューム調整操作等が行われるようにする。ヘッドセット装置１は、操作部６の操作ガイダンスが液晶表示器５に表示されるようにしてもよい。なお、ヘッドセット装置１は、液晶表示器５が上述した項目を表示するばかりでなく、適宜の項目を表示するように構成してもよいことは勿論である。
【００１８】
ヘッドセット装置１には、筐体３の下辺部にアンテナコード引き出し部７が設けられており、このアンテナコード引き出し部７からアンテナコード８が引き出される。ヘッドセット装置１には、筐体３の内部にアンテナコード８を巻き込むようにするアンテナコード巻き取り機構９が設けられている。アンテナコード巻き取り機構９は、詳細を省略するが筐体３に回転自在に支持されたリールと、このリールに対して初期位置への復帰習性を付与するスプリングと、リールを所定の位置で停止させるロック部材等を備えている。
【００１９】
アンテナコード巻き取り機構９は、アンテナコード８がリールの外周部に所定数で巻回されており、アンテナコード８を強く引っ張ることによってリールが回転するとともにスプリングに弾性力が蓄勢されるようにする。アンテナコード巻き取り機構９においては、筐体３から所定の長さで引き出されたアンテナコード８が、ロック部材によりリールをロックすることによって保持する。アンテナコード巻き取り機構９においては、適宜のロック解除機構によりロック部材によるリールのロック状態が解除されると、スプリングの弾性力によってリールが初期位置へと復帰してアンテナコード８の巻き取りを行うようにする。なお、アンテナコード巻き取り機構９は、かかる構造に限定されるものでは無く、例えば筐体３の第１主面３ａに巻き取り部材を設け、この巻き取り部材を回転操作することによりアンテナコード８の巻き取りを行うようにしてもよい。
【００２０】
ヘッドセット装置１は、耳殻に装着した状態で内側となる図３に示す筐体３の第２主面３ｂに、スピーカ孔１０とマイク孔１１とが設けられている。ヘッドセット装置１には、
詳細を省略するが筐体３の内部に、スピーカ孔１０と対向してスピーカ１２が配置されるとともに、マイク孔１１と対向してマイクロホン１３が配置されている。ヘッドセット装置１は、ブルートゥースモードの設定状態で携帯電話機２からブルートゥース無線方式により送信された音声信号を受信してスピーカ１２から相手側の音声が出力されるようにする。ヘッドセット装置１は、チューナーモードの設定状態で受信したＦＭ放送の楽音や音声等がスピーカ１２から出力されるようにする。
【００２１】
ヘッドセット装置１においては、ブルートゥースモードにおいて使用者の音声がマイクロホン１３によって集音され、音声信号に変換される。ヘッドセット装置１においては、音声信号がブルートゥース無線方式によって携帯電話機２に送信され、この携帯電話機２から相手側へと送信されるようにする。
【００２２】
ヘッドセット装置１においては、チューナーモードの設定状態で筐体３から所定の長さのアンテナコード８が引き出されることにより、身体に直接装着して用いるにもかかわらずＦＭ放送が良好な状態で受信されるようにする。アンテナコード８は、上述したようにアンテナコード巻き取り機構９により引き出した位置で保持されるが、耳にあてがわれた筐体３からぶら下がった状態となるために煩わしくかつ何かに引っ掛かることもあって使い勝手が悪い。
【００２３】
ヘッドセット装置１においては、このためにアンテナコード８の先端にクリップ１４が設けられ、アンテナコード８を筐体３から引き出した状態で使用者Ｍによってこのクリップ１４を衣服のポケット等に挟む操作が行われる。クリップ１４は、詳細を省略するが一対のクリップ片と、これらクリップ片を一体化するスプリングとからなり、小型軽量かつ廉価ないわゆる洗濯ばさみ型のものが用いられる。ヘッドセット装置１においては、筐体３から引き出されて使用者Ｍの身体に沿って這わされるアンテナコード８が、頭部に装着された筐体３とポケットに挟まれたクリップ１４とによって安定した状態に保持される。
【００２４】
ヘッドセット装置１においては、上述したように筐体３と耳掛け部４とによって耳殻を挟み込むことによって装着状態が保持される。ヘッドセット装置１においては、何らかの理由により耳から外れてしまった場合でも、クリップ１４をポケットに挟んでおくことにより本体部位の落下破損が防止されるようになる。したがって、ヘッドセット装置１においては、ブルートゥースモードの設定状態でもアンテナコード８を筐体３から引き出して用いるようにしてもよい。なお、ヘッドセット装置１においては、上述した洗濯ばさみ型のクリップ１４ばかりでなく、他の適宜のクリップを用いるようにしてもよいことは勿論である。
【００２５】
ヘッドセット装置１は、上述したように携帯電話機２との間でブルートゥース無線方式によって音声信号等の授受が行われて携帯電話機２を把持せずに通話を行うハンズフリー通話機能と、ＦＭ放送を受信して視聴する機能とを有している。ヘッドセット装置１においては、筐体３の内部に上述した液晶表示器５とスピーカ１２とマイクロホン１３とともに、図４に示すようにブルートゥースアンテナ１５を有するブルートゥース送受信部１６と、アンテナコード巻き取り機構９を介してアンテナコード８と接続されたチューナー回路１７とを備えている。ヘッドセット装置１においては、無線送受信モードとチューナーモードとの切り替えを行う切替部１８と、制御処理部１９とを備えている。
【００２６】
ヘッドセット装置１においては、筐体３内に図示しない実装基板が収納されており、この実装基板にブルートゥースアンテナ１５とブルートゥース送受信部１６とを１チップ化したブルートゥースモジュールが実装される。ヘッドセット装置１においては、ブルートゥースモードの設定状態において、ブルートゥース送受信部１６が携帯電話機１から送信されてブルートゥースアンテナ１５によって受信した音声信号等に所定の信号処理を施し
て制御処理部１９へと供給する。ヘッドセット装置１においては、音声信号等に基づく制御処理部１９からの出力によって液晶表示器５やスピーカ１２において所定の出力が行われる。ヘッドセット装置１においては、マイクロホン１３によって集音した使用者Ｍの音声に対して制御処理部１９やブルートゥース送受信部１６において所定の信号処理を行って、音声信号をブルートゥースアンテナ１５から発信して携帯電話機１で受信されるようにする。
【００２７】
ヘッドセット装置１においては、チューナ回路部１７が従来一般に用いられているＦＭ放送を受信するチューナー回路によって構成され、回路の構成部品を上述した実装基板に実装する。なお、ヘッドセット装置１においては、ＦＭ放送の受信機能ばかりでなく、他の放送番組の受信機能を備えるようにしてよいことは勿論である。ヘッドセット装置１においては、チューナーモードの設定状態において、放送電波をアンテナコード８によって受信し、チューナ回路部１７と制御処理部１９とにおいて所定の信号処理を施してスピーカ１２から番組放送が放音されるようにする。
【００２８】
ヘッドセット装置１においては、上述した操作部６の押しボタンを操作することによって切替部１８が動作され、液晶表示器５やスピーカ１２に対するブルートゥース送受信部１６とチューナ回路部１７からの出力の切り替えが行われる。ヘッドセット装置１においては、制御処理部１９においてブルートゥース送受信部１６又はチューナ回路部１７からの出力に対して所定の処理が行われて液晶表示器５やスピーカ１２から出力されるようにする。ヘッドセット装置１においては、制御処理部１９がＣＰＵ（Central Processing Unit）等を備えており、上述した信号処理機能や全体の動作を制御する機能等を奏する。なお、ヘッドセット装置１においては、切替部１８と制御処理部１９とを別ブロックとして説明したが、制御処理部１９に切替部１８の機能を持たせるようにしてもよいことは勿論である。
【００２９】
ヘッドセット装置１においては、上述したように通話を行っていない場合にチューナーモードに設定してＦＭ放送を受信するチューナーとして使用され、使用者Ｍが番組放送を聴取している。ヘッドセット装置１においては、この状態で携帯電話機１に着信があった場合に、液晶表示器５やスピーカ１２によって着信報知が行われる。携帯電話機１は、着信を検出すると着信検出信号をブルートゥース無線方式によってヘッドセット装置１に送信する。ヘッドセット装置１においては、この着信検出信号を受信したブルートゥース送受信部１６が、制御処理部１９に対して検出信号を出力する。
【００３０】
ヘッドセット装置１においては、ブルートゥース送受信部１６からの検出信号に基づいて制御処理部１９から切替部１８に対して制御信号が出力される。ヘッドセット装置１においては、この制御信号に基づいて切替部１８によってチューナーモードの設定状態からブルートゥースモードへと切り替え動作が行われる。ヘッドセット装置１においては、例えばスピーカ１２から音声による着信報知、或いは液晶表示器５の表示画面による着信報知が行われるようにする。ヘッドセット装置１においては、着信報知の後に使用者Ｍによって操作部６の押しボタンが操作されて応答操作を行い、ハンズフリー通話が行われるようにする。
【００３１】
ヘッドセット装置１においては、上述したように着信時にスピーカ１２と液晶表示器５とによって着信報知が行われることで、小型化を保持して確実な応答が行われるようにする。なお、ヘッドセット装置１においては、チューナーモードの設定状態では頭部に装着されていることから、スピーカ１２からの着信報知のみが行われるようにしてもよい。また、ヘッドセット装置１においては、応答操作が携帯電話機１側において行われるようにしてもよい。
【００３２】
なお、上述した実施の形態においては、ヘッドセット装置１がブルートゥース無線方式によって携帯電話機１と接続されてハンズフリー通話機能を奏するように説明したが、例えばブルートゥース無線方式を備えるパーソナルコンピュータと接続されるようにしてもよい。また、ヘッドセット装置１は、例えばブルートゥース無線方式を備えるカーナビゲーション装置と接続されてカーナビ情報を入手するとともに内蔵する記憶装置に蓄積された音楽情報を視聴するといった使用形態も可能である。
【図面の簡単な説明】
【００３３】
【図１】実施の形態として示すヘッドセット装置の使用状態の説明図である。
【図２】同ヘッドセット装置の正面図である。
【図３】同ヘッドセット装置の背面図である。
【図４】同ヘッドセット装置の機能ブロック図である。
【符号の説明】
【００３４】
１        ヘッドセット装置
２        携帯電話機
３        筐体
４        耳掛け部
５        液晶表示器
６        操作部
７        アンテナコード引き出し部
８        アンテナコード
９        アンテナコード巻き取り機構
１２      スピーカ
１３      マイクロホン
１４      クリップ
１５      ブルートゥースアンテナ
１６      ブルートゥース送受信部
１７      チューナー回路部
１８      切替部
１９      制御処理部
【図１】
2006086746.tif 000003
【図２】
2006086746.tif 000004
【図３】
2006086746.tif 000005
【図４】
2006086746.tif 000006